(57)【要約】【課題】すのこの移動にあっても内部に収納された炭の位置ずれ難く、炭の効用を有効に活用できるすのこを提供することにある。【解決手段】すのこは、複数の木材を間に隙間ができる格子状に連結している第１の格子材７と、この第１の格子材７との間に、収納隙間９ができるように対向して配設してなる、複数の木材を間に隙間ができる格子状に連結している第２の格子材８と、さらに、この収納隙間９に収納している固形状の炭５と、を有する。また、収納隙間９にあって、第１の格子材７と第２の格子材８の内側には通気性のシート６を設けて、さらにこの通気性のシート６の内側に炭５を収納するすると共に、この炭５の上にかんなくず１０を収納して、かんなくず１０でもって炭５を収納隙間９に敷き詰めることができる。【選択図】図６
0003137218.tif 000002
【実用新案登録請求の範囲】
【請求項１】
複数の木材を間に隙間ができる格子状に連結している第１の格子材(7)と、
前記第１の格子材(7)との間に収納隙間(9)ができるように対向して配設してなる、複数の木材を間に隙間ができる格子状に連結している第２の格子材(8)と、
前記収納隙間(9)に収納している固形状の炭(5)と、を有するすのこであって、
前記収納隙間(9)にあって、第１の格子材(7)と前記第２の格子材(8)の内側には通気性のシート(6)を設けて、さらにこの通気性のシート(6)の内側に炭(5)を収納するすると共に、この炭(5)の上にかんなくず(10)を収納して、かんなくず(10)でもって炭(5)を収納隙間(9)に敷き詰めてなることを特徴とするすのこ。
【請求項２】
請求項１に記載のすのこにおいて、
前記シート(6)は、竹酢液に含浸されたものであることを特徴とするすのこ。
【請求項３】
請求項１又は２に記載のすのこにおいて、
前記かんなくず(10)は、回転刃を有する電動かんなでもって削られた木くずであることを特徴とするすのこ。
【請求項４】
請求項１ないし３のいずれかに記載のすのこにおいて、
前記第１の格子材(7)及び第２の格子材(8)は、杉の間伐材からなることを特徴とするすのこ。
【考案の詳細な説明】
【技術分野】
【０００１】
本考案は、押し入れなどの収納空間内に配置し、収納空間内の通気性を高めるすのこに関するものであって、詳しくはその収納空間内等の除湿を可能としたすのこに関する。
【背景技術】
【０００２】
従来より、すのこは、押し入れなどの収納空間内の通気を目的に、床面や側面に配置して使用される。通常のすのこは、間をすかして配列された複数の短冊状の板を、裏面側から２以上の支持材でもって固定されてなる。この支持材の厚みによって、すのこの主面が床面と直に接触せず床面から浮いた構造となり、或いは板の隙間により通気性が確保されるため、すのこの主面上に載置された収納物の湿気対策に有効である。
【０００３】
一方、上記の通気性に加え、新たに吸湿効果を付加したすのこが開示される（例えば特許文献１）。図１１の斜視図に示すすのこ１００は、目的物を載置可能な基台１０１と、木炭１０３を収容した２個の引出し容器１０２を備え、基台１０１の設置下面１１１に引出し容器１０２を収納している。このすのこ１００によれば、木炭１０３が有する除湿及び脱臭効果により、基台１０１を介して木炭１０３の直上に載置された収納物や、或いは収納空間内の調湿及び脱臭が有効に行われる。
【０００４】
また、この引き出し容器１０２は、基台１０１の設置下面１１１で奥側或いは手前側へとスライドすることで相反する双方向に移動できる。これにより、引き出し容器１０２内に配置された木炭を取り出すことができ、適宜、木炭のメンテナンスを施すことが可能となる。しかしながら、この引き出し容器１０２の移動に伴って、内部に収納された木炭１０３に慣性が作用し、木炭１０３も移動する。特に、引き出し容器１０２に急な力が印加されると、配列されただけの木炭１０３は大きく移動する虞がある。これにより、木炭１０３が引き出し容器１０２の外部へと飛び出したり、木炭１０３同士がぶつかりあって騒音が生じたり、或いは衝撃により木炭１０３の一部が割れ、ひいては木炭の小片や粉末が飛散したりする問題があった。さらには、木炭１０３の移動に伴い、木炭１０３の一部が重畳されて木炭の積層量が偏在し、この結果、木炭の持つ上記の効果が、すのこ１００の部位によって不均等となる虞もあった。
【特許文献１】実用新案登録第３０６１０８０号
【考案の開示】
【考案が解決しようとする課題】
【０００５】
本考案は、従来のこのような問題点を解決するために成されたものである。本考案の主な目的は、すのこの移動にあっても内部に収納された炭の位置ずれ難く、炭の効用を有効に活用できるすのこを提供することにある。
【課題を解決するための手段】
【０００６】
上記の目的を達成するために、本考案の一のすのこは、複数の木材を間に隙間ができる格子状に連結している第１の格子材７と、この第１の格子材７との間に、収納隙間９ができるように対向して配設してなる、複数の木材を間に隙間ができる格子状に連結している第２の格子材８と、さらに、この収納隙間９に収納している固形状の炭５と、を有する。また、収納隙間９にあって、第１の格子材７と第２の格子材８の内側には通気性のシート６を設けて、さらにこの通気性のシート６の内側に炭５を収納するすると共に、この炭５の上にかんなくず１０を収納して、かんなくず１０でもって炭５を収納隙間９に敷き詰めることができる。
【０００７】
また、本考案の他のすのこは、シート６が竹酢液に含浸されたものであることを特徴とする。
【０００８】
さらに、本考案の他のすのこは、かんなくず１０が、回転刃を有する電動かんなでもって削られた木のくずであることを特徴とする。
【０００９】
さらにまた、本考案の他のすのこは、第１の格子材及び第２の格子材が、杉の間伐材からなることを特徴とする。
【考案の効果】
【００１０】
本考案のすのこは、内部に収納された炭の位置ずれ難く、炭の効用を有効に活用できる特徴がある。それは、本考案のすのこが、第１の格子材と第２の格子材の間の収納隙間に炭を収納すると共に、この収納隙間であって第１の格子材と第２の格子材の内面に通気性のシートを配設し、さらに通気性のシートの内側に炭を収納して、炭の上方にかんなくずを収納しているからである。すなわち、本考案のすのこは、収納隙間に、順番に通気性のシート、炭、かんなくず、通気性のシートを収納している。木材をかんなで切削してできるかんなくずは、木材が薄くスライスされたもので、自由に変形できる柔軟なクッション性がある。このかんなくずは、炭の上に収納されて、炭を上から押圧して定位置に位置ずれしないように敷き詰める。さらに、かんなくずは木材をスライスしたものであるから、空気を自由に通過させる通気性がある。したがって、かんなくずを空気が自由に通過して、その下に敷き詰めている炭でもって、空気中の水分を効果的に吸湿できる。すなわち、かんなくずは、炭を位置ずれしないように収納隙間に敷き詰めながら、炭が空気中の水分を吸湿する作用を阻害しない。このため、この考案のすのこは、収納隙間に収納している炭の位置ずれが防止され、同時に炭の摩擦による騒音、欠けの発生を抑制できる。また、炭の配置位置が固定されることにより、例えば積層量を均等に配置された炭が、移動によってその一部が重畳されて、すのこの部位によって炭の積層に高低差が生じるのを防げる。この結果、すのこが揺れ動いても、内部の炭はすのこの主面とほぼ同一面積にわたって均等に配置された状態を維持でき、炭の表面を空気中に曝して、炭表面の気孔による吸着性を有効に利用できる。
【００１１】
また、処分されがちなかんなくずをリサイクルでき、コストの削減につながる。さらに、炭を収納する専用のケースを用意せずとも炭を固定でき、加えて、炭の配置面積の増減に応じてかんなくずの充填量を変化させるだけで、種々の大きさのすのこに対応できる効果を奏する。また、かんなくずを採用することで木の香りを放出できるため、芳香に富むすのことできる。
【００１２】
また、シートを竹酢液に含浸させたものとすることで、炭と竹酢液との相乗効果を得られる。具体的には、消臭効果の他、炭による調湿などの吸湿効果に加え、竹酢液による殺菌・抗菌効果を得られる。
【００１３】
とくに、回転刃を有する電動かんなでもって削られたかんなくずを使用することで、丸みを帯びた円弧状の木くずによって優れたクッション性を実現して、炭の位置ずれをより確実に防止できる。すなわちかんなくずが巻くことで、内部に空洞を有する環状或いは円弧状の木くずとできる。この空洞により、通気性を維持しつつ、木くずと炭との当接におけるクッション性を一層高められ、安定して炭を固定できる。
【００１４】
また、すのこを杉の間伐材で加工することにより、間伐材の再利用が促進される。これにより、間伐されず残った木の生長を促し、水源涵養力や土壌保全能力が高い健全な森林の保全が進む。
【考案を実施するための最良の形態】
【００１５】
以下、本考案の実施例を図面に基づいて説明する。ただし、以下に示す実施例は、本考案の技術思想を具体化するためのすのこを例示するものであって、本考案はすのこを以下のものに特定しない。さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。また、図において、同一の名称、符号については同一もしくは同質の部材を示しており、詳細説明を適宜省略する。
【実施例１】
【００１６】
（構成）
実施例に係るすのこ１は、第１の格子材７と第２の格子材８との間に収納隙間９ができるように対向して配設されている。この第１の格子材７と第２の格子材８は、それぞれ、複数の木材を間に隙間ができる格子状に連結しているものである。また、収納隙間９には固形状の炭５が収納されている。さらに、この収納隙間９にあって、第１の格子材７と第２の格子材８の内側には、通気性のシート６を設けている。また、すのこ１は、この通気性のシート６の内側に炭５を収納するすると共に、この炭５の上にかんなくず１０を収納して、かんなくず１０でもって炭５を収納隙間９に敷き詰めている。以下にすのこ１の外観について図を用いて説明する。
【００１７】
図１〜図５は実施例に係るすのこの外観図である。具体的に、図１は、すのこの上面側からの斜視図、図２は下面側からの斜視図、図３は平面図、図４は底面図、図５は側面図を示す。
【００１８】
図１に示すように、すのこ１は、第１の格子材７と第２の格子材８を離間して、互いに平行になるよう対向している。また、すのこ１を収納空間に載置した際の載置面が第１の格子材７の表面となる。第１の格子材７及び第２の格子材８は、短冊状の複数の板材１１をその幅方向（図１における左右方向）に間をすかして固定されたものであって、相対的に矩形状をなす。図に示すすのこ１において、第１の格子材７及び第２の格子材８は共に長方形状である。ただし、その形状及び長短の比率は特に限定されず、種々の大きさとできる。
【００１９】
また、本明細書において、板材１１の短手である幅方向を「短手方向」とし、これと直交する方向を「長手方向」とする。さらに、すのこを収納空間に載置した際の上側を、「上」とし、これに対向する側を「下」とする。
【００２０】
第１の格子材７及び第２の格子材８は、互いに対向する面を共通の支持材１２でもって固定されている。具体的に、実施例に係る支持材１２は、図２に示すように、短手方向におけるすのこ１とほぼ同一の長さを有する棒体である。さらに、図３、図４に示すように、すのこ１の長手方向における両端近傍であって、支持材１２の上下面と複数の杉板１１とを、釘２でもってそれぞれ連結することにより、第１の格子材７及び第２の格子材８が対向して固着される。
【００２１】
また、実施例に係る支持材１２は、図２に示すように、断面Ｌ字状、すなわち直角に屈曲した形状である。この支持材１２の外面１６（図６参照）に第１の格子材７が接面し、内側の角部に第２の格子材８が当接することで、第１の格子材７及び第２の格子材８が平行に且つ離間して位置される。すなわち、短手方向からの平面視において、支持材１２の直角を構成する一の辺を上下のすのこ７、８が挟み込んでおり、言い換えると、対向する第１の格子材７及び第２の格子材８は、この一の辺の厚み分だけ離間されている。さらに、一の辺に直交する他方の辺は、第２の格子材８の外面よりも外側に突出している。つまり、すのこ１を収納空間等の床面に載置する際に、突出した支持材１２の下面のみが床面に当接されるため、第２の格子材８は床面から浮いた構造となり、すのこの通気性が高まる。
【００２２】
以下に実施例に係るすのこ１の内部構造と製造方法を説明する。図６は図１のＸＩ−ＸＩ’線における断面図である。また、図７〜図９は、すのこ１の製造工程を示す説明図である。
【００２３】
まず、第１の格子材７及び第２の格子材８を固定する木枠１４を製造する。図７は、四方に組んだ木枠１４の斜視図である。木枠１４において、一対の対辺は支持材１２によって構成されており、また、この支持材１２とねじ釘４でもって垂直に連結される他の対辺は、横木１５から構成される。また、支持材１２及び横木１５の上面は水平であり、支持材１２の下面は横木１５の下面よりも下方へ突出している。さらに、図７の例では、木枠１４の長辺を略等分する中央近傍であって、短辺とほぼ平行になるよう中木１３が架橋されており、これにより木枠１４の内側領域を等分している。この木枠１４の内側領域を、炭、かんなくずなどの収納隙間９とする。
【００２４】
図７のように、中木１３を連結することで、すのこ１の強度が増し耐荷が高まる。また、後述するシートの貼付の際に、シートのシワやたわみを抑制できる。さらに、木枠１４内の内側領域が区分されるため、これに収容される炭の固定が一層安定する。
【００２５】
次に、木枠１４の下面側（図７における下面側）に、シート６が貼付される。シート６は通気性のある面状のものであり、布、不織布などが利用できる。また、シート６は抗菌作用のある液体に含浸でき、したがって液体を含蓄可能な素材が好ましい。具体的な液体としては、例えば木酢液や竹酢液とでき、さらにはタールの含有量が少ない竹酢液が一層好ましい。竹酢液は、竹炭を焼くときに発生する煙を冷却して採取した液体であり、ｐＨ２．５〜３．５の酸性を示す。また、殺菌・止痒・消炎・消臭・抗酸化性等の効果を有する。実施例では竹酢液に含浸した布を採用した。
【００２６】
また、シート６は、木枠１４内に配置される炭５及びかんなくず１０がすのこ１の外部に漏出するのを抑止する。したがって、シート６は、木枠１４の四方の表面と密着して装着することが好ましい。シート６と木枠１４との装着手段は特に限定されず、例えば、両面テープ、酢酸ビニルなどの接着材が利用でき、中でもデンプン、にかわ、カゼイン、天然ゴム、セラック、タールなどの天然物が好適である。
【００２７】
また、図６、図８に示すように、木枠１４の下面側にはシート６を介して第２の格子材８が装着される。実施例では、幅５．４ｃｍ、長さ６０ｃｍ、厚み３６ｍｍの複数の杉板材１１を、隙間を介して配置し、釘２でもって支持材１２に打ち付けて双方を連結して第２の格子材８とした。
【００２８】
次に、図８に示すように、第２の格子材８を下面とし、さらに木枠１４を側面とする木枠１４内の収納隙間９に、炭５を敷き詰める。炭とは、木や竹などを蒸し焼きのように無酸素で加熱をすることで熱分解させ、ほぼ炭素だけが残った状態のものを指す。炭は、木の組織構造が残存し、小さな孔である気孔が無数に生じるため、吸着性に優れる。また、空気や水の浄化、消臭、調湿などの効果を有する。このような炭としては木炭や竹炭が利用できる。実施例では竹炭を１層だけ敷き詰めた。竹炭は木炭と比べて表面積が大きく、また細孔の半径がより小さいため、吸着力がより高く好適である。また、配置される炭は単層でなくてもよい。複層の場合は層間にかんなくずを介入させることで、消音、炭の安定が増す。
【００２９】
さらに、図６、図９に示すように、炭５の上にかんなくず１０を積層させる。かんなくず１０は、かんなで材木を薄く削ってできる薄い木片である。かんなくずの形状は各様であって、例えば細長く連続したものや丸みを帯びたものなどが挙げられる。また、かんなは、木の台に形成された溝に刃物をはめこんだ工具であり、電動型或いは手動型のものが利用できる。さらに、かんなを構成する各部材の形状や、台に対する刃の角度などは特に限定されず、被削面の形状や寸法に応じて種々のものを採用できる。
【００３０】
かんなくずが炭の収納領域内の空間領域にほぼ充填されることで、炭の余白スペースを埋める。これにより、隣接するかんなくず間に生じた空気層でもって、衝撃と振動の両方を吸収できるため緩衝材となる。さらには、炭の移動を抑止できる。実施例では、図１０に示すように、回転刃を有する電動かんなでもって削られた木くずを積層させた。これにより、丸みを帯びた木くずとなり、隣接する木くず間のみならず、木くず内部の空洞に空気層を含有して、一層のクッション性が増す。
【００３１】
また、かんなくず１０は杉、ひのき等の木材が利用でき、実施例ではひのきを使用した。これによりかんなくず自身が天然の香りを放出して好ましい。この他、フィトンチッドを含有する植物製油をかんなくず１０やシート６に含浸させることもできる。フィトンチッドとは、樹木が作り出し発散する揮発性物質であり、その主な成分はテルペン類の有機化合物である。フィトンチッドは、芳香に富む他、抗菌、防虫、消臭の効果があり、竹炭、竹酢液との効果に相俟って好ましい。
【００３２】
さらに、木枠１４の上面に、炭５及びかんなくず１０を封鎖するようシート６を装着する。これにより、かんなくず１０が炭５とシート６との間に介在して、木枠１４内の間詰めとなり、したがって炭５の移動空間が極限する。さらに、かんなくず１０が炭を上から押圧して、炭を定位置に位置ずれしないよう固定する。また、木枠１４の上面に装着されるシート６は、木枠１４の下面側に貼付されたものと同様のものが採用できる。次に、図１、図６に示すように、該シート６を介して、木枠１４の上面側に、幅５．４ｃｍ、長さ７０ｃｍ、厚み３６ｍｍの複数の杉板材１１が互いに隙間を有するよう配列される。これらの杉板材１１と、支持板１２の上面とを、釘２でもって連結することによりすのこ１とできる。
【産業上の利用可能性】
【００３３】
本考案のすのこは、冷蔵庫、クローゼット、たんす、押し入れ、下駄箱、食器棚などの収納空間及びこれに収納される収納物の脱臭、除湿、抗菌が可能な収納棚として利用できる。
【図面の簡単な説明】
【００３４】
【図１】実施例に係るすのこの斜視図である。
【図２】実施例に係るすのこの斜視図である。
【図３】実施例に係るすのこの平面図である。
【図４】実施例に係るすのこの底面図である。
【図５】実施例に係るすのこの側面図である。
【図６】図１のＸＩ−ＸＩ’線における断面図である。
【図７】実施例に係るすのこの一製造工程である。
【図８】実施例に係るすのこの一製造工程である。
【図９】実施例に係るすのこの一製造工程である。
【図１０】実施例に係るかんなくずの斜視図である。
【図１１】従来のすのこを示す斜視図である。
【符号の説明】
【００３５】
１…すのこ
２…釘
３…枠材
４…ねじ釘
５…炭（竹炭）
６…シート
７…第１の格子材
８…第２の格子材
９…収納隙間（木枠の内側領域）
１０…かんなくず
１１…板材（杉板材）
１２…支持材
１３…中木
１４…木枠
１５…横木
１６…支持材の外面
１００…すのこ
１０１…設置下面
１０２…引き出し容器
１０３…木炭
１１１…設置下面
【図１】
0003137218.tif 000003
【図２】
0003137218.tif 000004
【図３】
0003137218.tif 000005
【図４】
0003137218.tif 000006
【図５】
0003137218.tif 000007
【図６】
0003137218.tif 000008
【図７】
0003137218.tif 000009
【図８】
0003137218.tif 000010
【図９】
0003137218.tif 000011
【図１０】
0003137218.tif 000012
【図１１】
0003137218.tif 000013